(57)【特許請求の範囲】
【請求項１】
設置面との間の水を吸い取る吸水装置を取り付けるための吸水装置取付部を含み、浸水を防止するための堰を形成するウォーターフェンス本体部と、
前記ウォーターフェンス本体部の底面に配置される第１弾性部材と、
前記第１弾性部材の底面に配置され、前記第１弾性部材よりも低い吸水率を有し、前記第１弾性部材よりも柔らかい第２弾性部材とを備える、ウォーターフェンス。
【請求項２】
前記第２弾性部材は、中空形状を有する管状部材であり、前記設置面の凹凸に食い込むように構成されている、請求項１に記載のウォーターフェンス。
【請求項３】
前記第１弾性部材は、平面視において、前記ウォータフェンス本体部の底面の外周部に環状に配置され、
前記第２弾性部材は、前記第１弾性部材に沿って配置されている、請求項１または２に記載のウォーターフェンス。
【請求項４】
前記ウォーターフェンス本体部は、分割可能な第１部材と第２部材とを含み、
前記第１部材および前記第２部材には、それぞれ、互いに分割可能な前記第１弾性部材と、互いに分割可能な前記第２弾性部材とが設けられ、
前記第１部材に設けられた前記第２弾性部材と、前記第２部材に設けられた前記第２弾性部材とは、平面視において、互いに端部がずれた状態で配置されている、請求項１〜３のいずれか１項に記載のウォーターフェンス。
【請求項５】
前記第２弾性部材は、前記第１弾性部材よりも小さい幅を有する、請求項１〜４のいずれか１項に記載のウォーターフェンス。
【請求項６】
前記第１弾性部材は、前記ウォーターフェンス本体部の前記設置面への設置性を向上させる設置力増強部材を含む、請求項１〜５のいずれか１項に記載のウォーターフェンス。
【請求項７】
前記第１弾性部材は、スポンジ材により形成され、
前記第２弾性部材は、ゴムにより形成されている、請求項１〜６のいずれか１項に記載のウォーターフェンス。
【請求項８】
前記第１弾性部材の底面には、平面視において、前記第２弾性部材の内側に、前記第２弾性部材をガイドするガイド部材が設けられている、請求項１〜７のいずれか１項に記載のウォータフェンス。
【発明の詳細な説明】
【技術分野】
【０００１】
この発明は、ウォーターフェンスに関する。
【背景技術】
【０００２】
従来、浸水を抑制するための水嚢（ウォーターフェンス）が知られている（たとえば、特許文献１参照）。
【０００３】
上記特許文献１には、洪水などによって大量の水が流れ出た場合、袋体に水を注水して、流出した水による浸水を防ぐ堰として機能させるための水嚢（ウォーターフェンス）が開示されている。この特許文献１の水嚢は、流出した水によって水嚢が流されないように積載性や、設置性を向上させる為に水嚢の底面に吸盤が複数設けられている。
【先行技術文献】
【特許文献】
【０００４】
【特許文献１】特開２００５−１６３５１４号公報
【発明の概要】
【発明が解決しようとする課題】
【０００５】
しかしながら、上記特許文献１では、水嚢底面に吸盤を設けた構成であるため、タイル目地などの凹凸のある設置面に水嚢（ウォーターフェンス）を設置する場合、水嚢本体と、タイル目地などの凹凸との隙間を埋めることが困難である。このため、水嚢と設置面との間に隙間ができるため、タイル目地などの凹凸のある設置面に対しての設置性や水密性が低下する。その結果、浸水を効果的に抑制することが困難であるという問題点がある。
【０００６】
この発明は、上記のような課題を解決するためになされたものであり、この発明の１つの目的は、浸水を効果的に抑制することが可能なウォーターフェンスを提供することである。
【課題を解決するための手段】
【０００７】
この発明の一の局面によるウォーターフェンスは、設置面との間の水を吸い取る吸水装置を取り付けるための吸水装置取付部を含み、浸水を防止するための堰を形成するウォーターフェンス本体部と、ウォーターフェンス本体部の底面に配置される第１弾性部材と、第１弾性部材の底面に配置され、第１弾性部材よりも低い吸水率を有し、第１弾性部材よりも柔らかい第２弾性部材とを備える。
【０００８】
この発明の一の局面によるウォーターフェンスでは、上記のように、第１弾性部材の底面に配置され、第１弾性部材よりも低い吸水率を有し、第１弾性部材よりも柔らかい第２弾性部材を設ける。これにより、第２弾性部材が、タイル目地などの設置面の凹凸に入り込んで、ウォーターフェンスと設置面の凹凸との隙間を埋めることができるので、ウォーターフェンスの設置性や水密性を向上させることができる。その結果、ウォーターフェンスの下方からの浸水を効果的に抑制することができる。また、第２弾性部材よりも吸水率の高い第１弾性部材により、ウォーターフェンスと設置面との間の水を吸い取ることができる。これらの結果、浸水を効果的に抑制することができる。また、ウォーターフェンスに水などの重りを入れる場合、水の重力と、ウォーターフェンス本体部に接続された吸水装置が吸水することにより生じる負圧とにより、第１弾性部材および第２弾性部材を設置面に対して押し付けることができるので、より強固にタイル目地などの凹凸を埋めることができる。これにより、ウォーターフェンス設置面内の真空度を向上させることができるので、ウォーターフェンスが押し寄せる水により流されるのを効果的に抑制することができる。
【０００９】
上記一の局面によるウォーターフェンスにおいて、好ましくは、第２弾性部材は、中空形状を有する管状部材であり、設置面の凹凸に食い込むように構成されている。このように構成すれば、第２弾性部材が中空形状を有する管状部材であるため、第２弾性部材を設置面の凹凸形状に沿って容易に変形させて食い込ませることができる。これにより、設置面の凹凸とウォーターフェンスとの間に隙間ができるのを容易に抑制することができる。
【００１０】
上記一の局面によるウォーターフェンスにおいて、好ましくは、第１弾性部材は、平面視において、ウォータフェンス本体部の底面の外周部に環状に配置され、第２弾性部材は、第１弾性部材に沿って配置されている。このように構成すれば、第１弾性部材により囲まれた領域の水および空気を吸水装置により吸い取ることにより、ウォーターフェンス設置面内の真空度を容易に上げることができる。
【００１１】
上記一の局面によるウォーターフェンスにおいて、好ましくは、ウォーターフェンス本体部は、分割可能な第１部材と第２部材とを含み、第１部材および第２部材には、それぞれ、互いに分割可能な第１弾性部材と、互いに分割可能な第２弾性部材とが設けられ、第１部材に設けられた第２弾性部材と、第２部材に設けられた第２弾性部材とは、平面視において、互いに端部がずれた状態で配置されている。このように構成すれば、ウォーターフェンス本体部を保管する際に、第１部材と第２部材とに分割することができるので、保管面積が大きくなるのを抑制することができる。また、第１弾性部材および第２弾性部材を分割可能にすることにより、第１部材および第２部材に、それぞれ、第１弾性部材および第２弾性部材を取り付けた状態で、保管することができるので、使用時に、第１部材および第２部材を接続することにより、ウォータフェンスを容易に組み立てることができる。また、この場合、第１部材に設けられた第２弾性部材と、第２部材に設けられた第２弾性部材とが、平面視において、互いに端部がずれた状態で組み立てられるので、柔らかく変形しやすい第２弾性部材が設置の際に伸びて、第１部材および第２部材のそれぞれに取り付けられた第２弾性部材の端部同士が干渉するのを抑制することができる。
【００１２】
上記一の局面によるウォーターフェンスにおいて、好ましくは、第２弾性部材は、第１弾性部材よりも小さい幅を有する。このように構成すれば、第１弾性部材よりも小さい幅の設置面の凹凸を、第２弾性部材により容易に埋めることができるので、ウォーターフェンスの設置性を容易に向上させることができる。
【００１３】
上記一の局面によるウォーターフェンスにおいて、好ましくは、第１弾性部材は、ウォーターフェンス本体部の設置面への設置性を向上させる設置力増強部材を含む。このように構成すれば、設置面に傾きや凹凸がある場合でも、第１弾性部材によりウォーターフェンスの設置性を向上させることができるので、浸水をより効果的に抑制することができる。
【００１４】
上記一の局面によるウォーターフェンスにおいて、好ましくは、第１弾性部材は、スポンジ材により形成され、第２弾性部材は、ゴムにより形成されている。このように構成すれば、スポンジ材により形成された第１弾性部材により、水を吸水しつつ、大きな凹凸を吸収することができる。また、ゴムにより形成された第２弾性部材により、目地などの小さな凹凸を埋めて水が入り込むのを抑制することができる。これにより、浸水をより効果的に抑制することができる。
【００１５】
上記一の局面によるウォーターフェンスにおいて、好ましくは、第１弾性部材の底面には、平面視において、第２弾性部材の内側に、第２弾性部材をガイドするガイド部材が設けられている。このように構成すれば、第２弾性部材が平面方向にずれるのをガイド部材により抑制することができる。
【発明の効果】
【００１６】
本発明によれば、上記のように、浸水を効果的に抑制することができる。
【図面の簡単な説明】
【００１７】
【図１】本発明の第１実施形態によるウォーターフェンスを上方から見た斜視図である。
【図２】本発明の第１実施形態によるウォーターフェンスを下方から見た斜視図である。
【図３】本発明の第１実施形態によるウォーターフェンス本体部を下方から見た斜視図である。
【図４】本発明の第１実施形態によるウォーターフェンスの分解斜視図である。
【図５】本発明の第１実施形態によるウォーターフェンスの第１部材を示した斜視図である。
【図６】本発明の第１実施形態によるウォーターフェンスの第２部材を示した斜視図である。
【図７】本発明の第１実施形態によるウォーターフェンスを底面側から見た図である。
【図８】本発明の第１実施形態によるウォーターフェンスの第１部材を側面側から見た図である。
【図９】本発明の第１実施形態によるウォーターフェンスの第２部材を側面側から見た図である。
【図１０】本発明の第１実施形態によるウォーターフェンスの設置力増強部材の特性を示した表である。
【図１１】本発明の第１実施形態によるウォーターフェンスの設置力増強部材の水透過の特性を示した表である。
【図１２】本発明の第１実施形態によるウォーターフェンスのチューブ材の特性を示した表である。
【図１３】本発明の第２実施形態によるウォーターフェンスを底面側から見た図である。
【図１４】本発明の第２実施形態によるウォーターフェンスの第１部材を側面側から見た図である。
【図１５】本発明の第２実施形態によるウォーターフェンスの第２部材を側面側から見た図である。
【図１６】本発明の第３実施形態によるウォーターフェンスを底面側から見た図である。
【図１７】本発明の第３実施形態によるウォーターフェンスの第２部材を側面側から見た図である。
【図１８】本発明の第４実施形態によるウォーターフェンスを底面側から見た図である。
【図１９】本発明の第４実施形態によるウォーターフェンスの第２部材を側面側から見た図である。
【発明を実施するための形態】
【００１８】
以下、本発明の実施形態を図面に基づいて説明する。
【００１９】
［第１実施形態］
図１〜図１２を参照して、本発明の第１実施形態によるウォーターフェンス１００の構成について説明する。
【００２０】
（ウォーターフェンスの構成）
図１〜図１２を参照して、本発明の第１実施形態について説明する。第１実施形態によるウォーターフェンス１００は、建物への浸水を防いだり、工事現場などにおいて水を長時間せき止めたり、流れを有する河川などをせき止めたりするために用いられる。ウォーターフェンス１００は、図１および図２に示すように、ウォーターフェンス本体部１と、設置力増強部材２とを備えている。ウォーターフェンス１００は、Ｘ方向に延びる細長形状を有しており、Ｙ方向の水を止めるように設置される。また、図１に示すように、ウォーターフェンス１００には、自吸機能を有した自吸ポンプ（以下「ポンプ」と称す）３が接続されている。ポンプ３は、急な増水に対しても信頼性の高い水没使用が可能な防水構造を有するポンプとすることが望ましい。また、ウォーターフェンス本体部１には、重りとして水を注水したり、ペットボトルなどの重り部材を配置可能に構成されている。また、ウォータフェンス１００は、図２に示すように、設置力増強部材２の底面に配置されたチューブ材４を備えている。なお、設置力増強部材２は、特許請求の範囲の「第１弾性部材」の一例であり、ポンプ３は、特許請求の範囲の「吸水装置」の一例である。また、チューブ材４は、特許請求の範囲の「第２弾性部材」の一例である。
【００２１】
ウォーターフェンス本体部１は、第１部材１１と、第２部材１２と、連結部材１３と、パイプ１４と、パイプ１５（図３参照）とを含んでいる。第１部材１１は、凸部１１１（図３参照）と、篏合部１１２（図４参照）と、筒状部１１３（図５参照）と、板状部１１４（図５参照）と、フランジ部１１５（図５参照）と、肉抜穴１１６（図５参照）とを有している。第２部材１２は、図６に示すように、重り取付部１２１と、凸部１２２（図３参照）と、嵌合部１２３（図４参照）と、凹部１２４および１２５とを有している。なお、パイプ１４は、特許請求の範囲の「吸水装置取付部」の一例である。
【００２２】
ウォーターフェンス本体部１は、浸水を防止するための堰を形成している。具体的には、ウォーターフェンス本体部１は、柱や壁或いは扉（図示せず）などの前面側（Ｙ２方向側）に配置され、背面側（Ｙ１方向側）への浸水を防止する堰を形成している。また、ウォーターフェンス本体部１は、図１に示すように、第１部材１１のＸ方向の両端に、それぞれ、第２部材１２が連結されている。また、ウォーターフェンス本体部１は、複数に分割可能に構成されている。具体的には、第２部材１２は、第１部材１１に対してＸ方向に隣接して配置されている。
【００２３】
また、第２部材１２は、Ｘ方向において第１部材１１を挟むように一対設けられている。一対の第２部材１２は、第１部材１１を挟み込んだ状態で、弾性を有する連結部材１３により挟持されることにより、連結されている。具体的には、図４に示すように、一対の第２部材１２が第１部材１１を挟んでＸ方向に隣接して配置された状態で、Ｙ方向の両側（Ｙ１方向およびＹ２方向）に設けられた連結部材１３により、第１部材１１および一対の第２部材１２が連結されている。
【００２４】
第１部材１１は、水を透過させない素材により形成されている。第１部材１１は、たとえば、ゴムや樹脂或いは金属などにより形成されている。好ましくは、第１部材１１は、弾性材料により形成されている。また、第１部材１１は、第２部材１２よりも比重が大きい材料により形成されている。
【００２５】
図３に示すように、第１部材１１の下面側（Ｚ２方向側）には、凸部１１１が設けられている。凸部１１１の外側の平坦面には、設置力増強部材２が取り付けられるように構成されている。また、凸部１１１は、吸水口部が設けられたパイプ１５をＹ方向に挟み込むように、一対設けられている。また、凸部１１１は、第１部材１１に連結される第２部材１２の凸部１２２とつながるように形成されている。
【００２６】
図４および図５に示すように、第１部材１１の底部（Ｚ２方向側部）には、第２部材１２側（Ｘ方向）に凸状に突出する嵌合部１１２が設けられている。嵌合部１１２は、第２部材１２の嵌合部１２３に嵌合するように構成されている。また、嵌合部１１２は、平面視において（Ｚ方向から見て）、第２部材１２とオーバーラップするように配置されている。つまり、嵌合部１１２は、第１部材１１および第２部材１２を底面を上にして組立てた場合に、図３に示すように、第２部材１２に覆いかぶさるように、嵌合部１２３に嵌合する。
【００２７】
図５に示すように、筒状部１１３は、上下方向（Ｚ方向）に延びるように形成されている。また、筒状部１１３は、第１部材１１のＹ方向の中央近傍に配置されている。また、筒状部１１３は、第１部材１１のＸ方向の中央近傍に配置されている。また、筒状部１１３は、第２部材１２の凹部１２４に嵌り込むように構成されている。図８に示すように、筒状部１１３の内側には、ポンプ３により底面と設置面との間の水を吸い取るための流路１１３ａが設けられている。つまり、筒状部１１３の流路１１３ａは、上下方向に貫通するように設けられている。
【００２８】
筒状部１１３の上部には、ポンプ３が接続されるためのパイプ１４が挿入されている。パイプ１４は、たとえば、金属により形成されている。また、パイプ１４は、略Ｌ字形状に形成されている。パイプ１４には、設置面とウォーターフェンス１００との間の水を吸い取るポンプ３が取り付けられるように構成されている。具体的には、パイプ１４の外側の端部には、ポンプ３に接続される管（ホースなど）が接続されるように構成されている。
【００２９】
筒状部１１３の底部には、吸水口部が設けられたパイプ１５が挿入されている。パイプ１５は、たとえば、金属により形成されている。パイプ１５の下側（Ｚ２方向側）の端部は、凸部１１１の下端近傍（Ｚ２方向側の端部近傍）に配置されている。これにより、ウォーターフェンス本体部１の底面１ａと設置面との間の水が、ポンプ３により吸水される。なお、パイプ１５の吸水口部に、異物除去用のフィルターを設けてもよい。これにより、ポンプ３によって吸い込み、排出される水からゴミなどの異物を除去することができるので、緊急時の水として活用することも可能である。なお、フィルターは吸込みから排出までの間に設けられれば良いので、ポンプ３の吸水用ホースなどに設けてもよい。
【００３０】
図５に示すように、板状部１１４は、筒状部１１３に対してＹ方向に接続され、Ｙ方向に延びるように形成されている。具体的には、板状部１１４は、筒状部１１３のＹ方向の両側（Ｙ１方向およびＹ２方向）に配置されている。また、板状部１１４は、筒状部１１３の外径よりも小さいＸ方向の幅を有している。
【００３１】
フランジ部１１５は、筒状部１１３の上部に配置されている。また、フランジ部１１５は、略水平方向（ＸＹ方向）に突出するように形成されている。また、フランジ部１１５は、第２部材１２の凹部１２５に嵌り込むように構成されている。
【００３２】
肉抜穴１１６は、篏合部１１２に設けられている。また、肉抜穴１１６は、Ｘ方向に延びるように形成されている。これにより、第１部材１１を軽量化することが可能である。
【００３３】
図１に示すように、第２部材１２は、直方体の箱型形状を有している。また、第２部材１２は、Ｘ方向に延びるように形成されている。また、第２部材１２は、水を透過させない素材により形成されている。第２部材１２は、たとえば、発泡スチロールやゴムや樹脂或いは金属などにより形成されている。好ましくは、第２部材１２は、発泡材料により形成されている。第２部材１２の重り取付部１２１には、重りとしてのペットボトルなどが取り付けられるように構成されている。第２部材１２の重り取付部１２１にペットボトルなどの重りが取り付けられることによりウォーターフェンス１００に加わる荷重を増すことが可能なように構成されている。なお、重り取付部１２１に、水、石、砂、土などを入れて重りとしてもよい。
【００３４】
図３に示すように、第２部材１２の下面側（Ｚ２方向側）には、凸部１２２が設けられている。凸部１２２の外側の平坦面には、設置力増強部材２が取り付けられるように構成されている。また、凸部１２２は、平面視において略Ｕ字形状に形成されている。また、凸部１２２は、第２部材１２に連結される第１部材１１の凸部１１１とつながるように形成されている。つまり、第１部材１１の凸部１１１と、第２部材１２の凸部１２２とが連結されて、長方形のロ字形状の凸部が形成される。この凸部１１１および１２２により設置力増強部材２が平面方向（ＸＹ方向）にずれることが抑制される。また、ロ字形状の凸部の内側は、ポンプ３により吸水される水の通り道となる。
【００３５】
図４に示すように、第２部材１２の底部（Ｚ２方向側部）には、第１部材１１の嵌合部１１２が嵌合する嵌合部１２３が設けられている。具体的には、嵌合部１２３は、凹状に形成されており、凸状の嵌合部１１２が嵌合するように構成されている。
【００３６】
図６に示すように、凹部１２４は、第１部材１１の筒状部１１３に対応する部分に形成されている。つまり、第１部材１１および第２部材１２を組み合わせた場合に、第１部材１１の筒状部１１３が第２部材１２の凹部１２４に嵌り込む（係合する）ように構成されている。凹部１２５は、第１部材１１のフランジ部１１５に対応する部分に形成されている。つまり、第１部材１１および第２部材１２を組み合わせた場合に、第１部材１１のフランジ部１１５が第２部材１２の凹部１２５に嵌り込む（係合する）ように構成されている。
【００３７】
図２に示すように、設置力増強部材２は、ウォーターフェンス本体部１の底面１ａに配置され、ウォーターフェンス本体部１の設置面への設置性を向上させるように構成されている。つまり、ウォーターフェンス本体部１の設置時の自重と、ポンプ３が吸水することとによって、設置力増強部材２は、弾性圧縮変形するとともに、外部の水を所定量透過させることにより、ウォーターフェンス本体部１の設置面内の圧力を低圧安定させるように構成されている。
【００３８】
具体的には、設置力増強部材２は、ウォーターフェンス本体部１の自重と、重りの重力と、ポンプ３が吸水することにより生じる負圧とにより、圧縮されて、水の透過率が所定の値となることにより、ウォーターフェンス本体部１の底面１ａと設置面との間に外部からの水を所定量透過させてポンプ３の自吸水を確保するように構成されている。
【００３９】
設置力増強部材２は、半連続気泡構造を有しており、圧縮変形されることにより水の透過率が変化するように構成されている。設置力増強部材２は、たとえば、半連続気泡構造の気孔率５０％〜６０％程度のやわらかいスポンジ材により形成されている。また、設置力増強部材２は、半連続気泡構造のスポンジが圧縮されることによりスポンジの孔が小さくなり、水の透過率が変わるように構成されている。また、設置力増強部材２は、圧縮力がかからない状態において、たとえば、約２０ｍｍ以上約３０ｍｍ以下の高さを有する。ポンプ３が駆動された場合、半連続気泡構造のスポンジは５０〜８０％程度圧縮されることが望ましい。また、設置力増強部材２は、第１部材１１よりも柔らかい材料により形成されている。
【００４０】
設置力増強部材２は、ウォーターフェンス本体部１の自重と、重り収容部１２１に取り付けられた重りと、ポンプ３の吸引力によって生じる負圧とにより圧縮されるように構成されている。また、ポンプ３は設置力増強部材２を透過した水を、設置面内側の空間の空気と共に吸引するように構成されている。つまり、設置力増強部材２により吸水された水が第１部材１１の流路１１３ａを介してポンプ３に吸引されるように構成されている。なお、ポンプ３は、空気とともに水を吸い込むので、ポンプ３の吐出口から水を吐き出す状態と、ポンプ３の吐出口から少しの水を空気とともに吐き出す状態とを数秒程度の周期で繰り返す間欠運転となる。
【００４１】
また、ポンプ３により、設置力増強部材２を透過した水を、設置面内側の空間の空気と共に吸引することにより、ウォーターフェンス本体部１と設置面との間の空間の真空度が上げられる（空間の気圧が下がる）。これにより、設置面に対してウォーターフェンス本体部１を安定させて配置することが可能に構成されている。その結果、ウォーターフェンス本体部１が水により押されて変形したり、流されたりすることを効果的に抑制することが可能である。
【００４２】
また、設置力増強部材２は、第１部材１１の凸部１１１の外側の平坦面および第２部材１２の凸部１２２の外側の平坦面に取り付けられるように構成されている。具体的には、設置力増強部材２は、両面テープなどの接着層を介して、第１部材１１および第２部材１２の底面に取り付けられる。また、設置力増強部材２は、図２に示すように、平面視（Ｚ方向から見て）において、Ｙ方向の端部が、第２部材１２の細い部分と略面一となるように配置されている。また、図２および図７に示すように、設置力増強部材２は、平面視において（Ｚ方向から見て）、ウォーターフェンス本体部１の底面の外周部に環状に配置されている。
【００４３】
また、設置力増強部材２は、図４に示すように、分割可能に構成されている。具体的には、設置力増強部材２は、第１部材１１に取り付けられる設置力増強部材２１と、第２部材１２に取り付けられる設置力増強部材２２とに分割可能である。つまり、設置力増強部材２１を第１部材１１に取り付け、設置力増強部材２２を第２部材１２に取り付けた状態で、第１部材１１および第２部材１２を、分割すること、または、組み立てることが可能である。なお、設置力増強部材２１および２２は、特許請求の範囲の「第１弾性部材」の一例である。
【００４４】
ポンプ３は、ウォーターフェンス本体部１の底面１ａと設置面との間の水を吸い取るように構成されている。また、ポンプ３は、水深が浅い水を吸水可能に構成されている。これにより、ポンプ３は、設置面とウォーターフェンス本体部１の底面１ａとの間に浸水した少量の水を効果的に排水することが可能である。
【００４５】
ここで、第１実施形態では、図２に示すように、チューブ材４は、設置力増強部材２の底面に配置されている。また、チューブ材４は、設置力増強部材２よりも低い吸水率を有するとともに、設置力増強部材２よりも柔らかい。具体的には、チューブ材４は、中空形状を有する管状部材である。また、チューブ材４は、外力により変形しやすい材料により形成されている。たとえば、チューブ材４は、ゴムにより形成されている。また、チューブ材４は、断面形状が楕円形状を有している。また、チューブ材４は、たとえば、１．５ｍｍ程度の肉厚を有する管状部材である。また、チューブ材４は、設置力増強部材２に、接着層を介して貼りつけられている。たとえば、チューブ材４は、ゲル状の瞬間接着材により設置力増強部材２に接着されている。なお、接着層は、テープ等であってもよい。また、接着層は、耐水性があるものが好ましい。
【００４６】
また、チューブ材４は、設置面の目地などの凹凸に食い込むように構成されている。つまり、チューブ材４は、ウォーターフェンス本体部１の自重と、重り収容部１２１に取り付けられた重りと、ポンプ３の吸引力によって生じる負圧とにより圧縮されるように構成されている。これにより、チューブ材４が設置面の凹凸にフィッティングするように構成されている。また、チューブ材４が圧縮されて変形することにより、設置力増強部材２も設置面に密着して接するように構成されている。
【００４７】
また、チューブ材４は、設置力増強部材２よりも小さい幅を有する。たとえば、チューブ材４は、設置力増強部材２の１／４程度の幅を有する。また、チューブ材４は、設置面の目地などの凹凸の深さと同程度、または、少し大きい高さを有する。たとえば、チューブ材４は、１０ｍｍ以下の高さを有する。
【００４８】
また、図２および図７に示すように、チューブ材４は、設置力増強部材２に沿って配置されている。具体的には、チューブ材４は、平面視において（Ｚ方向に見て）略ロ字形状に配置された設置力増強部材２に沿って、略ロ字形状に配置されている。また、チューブ材４は、設置力増強部材２の略中央に配置されている。
【００４９】
また、第１実施形態では、チューブ材４は、図４に示すように、分割可能に構成されている。具体的には、チューブ材４は、第１部材１１（設置力増強部材２１）に取り付けられるチューブ材４１と、第２部材１２（設置力増強部材２２）に取り付けられるチューブ材４２とに分割可能である。つまり、チューブ材４１および設置力増強部材２１を第１部材１１に取り付け、チューブ材４２および設置力増強部材２２を第２部材１２に取り付けた状態で、第１部材１１および第２部材１２を、分割すること、または、組み立てることが可能である。なお、チューブ材４１および４２は、特許請求の範囲の「第２弾性部材」の一例である。
【００５０】
また、第１実施形態では、第１部材１１に設けられたチューブ材４１と、第２部材１２に設けられたチューブ材４２とは、平面視において（Ｚ方向に見て）、互いに端部がずれた状態で配置されている。具体的には、図７に示すように、第２部材１２のチューブ材４２は、端部がＹ方向における外側に曲げられて、第１部材１１のチューブ材４１に対して端部がずれるように配置されている。つまり、チューブ材４１及びチューブ材４２は、設置力増強部材２の中心位置を通るように配置されている。そして、チューブ材４２の端部が設置力増強部材２の中心位置から外側になるように配置されている。これにより、チューブ材４１のＸ１側の端部と、チューブ材４２のＸ２側の端部とが合わさることなくオフセットされる。また、チューブ材４１のＸ２側の端部と、チューブ材４２のＸ１側の端部とが合わさることなくオフセットされる。
【００５１】
図１０を参照して、設置力増強部材２の特性の一例について説明する。
【００５２】
図１０に示すように、設置力増強部材２は、たとえば、見掛け密度が１１０ｋｇ／ｍ3であり、引張強さが８０ｋＰａであり、伸びが４５０％である。また、設置力増強部材２は、圧縮硬さが、圧縮率が２５％の場合、３．３ｋＰａであり、圧縮率が５０％の場合、４．５ｋＰａである。
【００５３】
図１１を参照して、設置力増強部材２の特性（水透過）の一例について説明する。
【００５４】
図１１に示すように、水透過について、設置力増強部材２は、圧縮率が６０％の場合、水深１００ｍｍの水頭圧（１００ｍｍＨ2Ｏ＝０．０１ｋｇｆ／ｃｍ2≒０．９８ｋＰａ）に対して、１０分以内に水漏れがあった。また、設置力増強部材２は、圧縮率が７０％の場合、水深１００ｍｍの水頭圧（１００ｍｍＨ2Ｏ＝０．０１ｋｇｆ／ｃｍ2≒０．９８ｋＰａ）に対して、１０分を超えて３０分以内に水漏れがあった。また、設置力増強部材２は、圧縮率が８０％および９０％の場合、水深１００ｍｍの水頭圧（１００ｍｍＨ2Ｏ＝０．０１ｋｇｆ／ｃｍ2≒０．９８ｋＰａ）に対して、３０分間水漏れしなかった。なお、水透過について、１０分以内に水漏れがあった場合、「△」と示し、１０分を超えて３０分以内に水漏れがあった場合、「○」と示し、３０分間水漏れしなかった場合、「◎」と示している。
【００５５】
設置力増強部材２に用いる気孔率５０％〜６０％程度の半連続気泡構造のスポンジ材は、図１１に示す一例のように、圧縮率に応じた透過率となる。また、設置力増強部材２は、５０％以上８０％以下の圧縮率になるように圧縮抑制することにより、半連続気泡構造のスポンジを透過する水量をポンプ３の呼び水として適度な透過水量に抑えることが可能である。また、設置力増強部材２（スポンジ）を透過した水をポンプ３で排水するのでウォーターフェンス本体部１を越えて浸水させないようにすることが可能である。つまり、ポンプ３を駆動させた場合に、設置力増強部材２の圧縮率が５０％以上８０％以下になることが好ましい。
【００５６】
図１２を参照して、チューブ材４の特性の一例について説明する。
【００５７】
図１２に示すように、チューブ材４は、たとえば、見掛け密度が７８０ｋｇ／ｍ3であり、引張強さが３４０ｋＰａであり、伸びが７５０％である。つまり、チューブ材４は、設置力増強部材２よりも柔らかい。また、チューブ材４は、２００％に伸ばした際の引張応力が８０ｋＰａである。なお、引張強さ、伸び率、２００％引張応力は、長さ１０ｃｍのチューブ材４に２．５ｍｍほどの切り込みを入れて試験を行った。また、チューブ材４は、吸水率が１．０％以下である。つまり、チューブ材４は、設置力増強部材２よりも低い吸水率を有する。
【００５８】
（第１実施形態の効果）
第１実施形態では、以下のような効果を得ることができる。
【００５９】
第１実施形態では、上記のように、設置力増強部材２の底面に配置され、設置力増強部材２よりも低い吸水率を有し、設置力増強部材２よりも柔らかいチューブ材４を設ける。これにより、チューブ材４が、タイル目地などの設置面の凹凸に入り込んで、ウォーターフェンス１００と設置面の凹凸との隙間を埋めることができるので、ウォーターフェンス１００の設置性や水密性を向上させることができる。その結果、ウォーターフェンス１００の下方からの浸水を効果的に抑制することができる。また、チューブ材４よりも吸水率の高い設置力増強部材２により、ウォーターフェンス１００と設置面との間の水を吸い取ることができる。これらの結果、浸水を効果的に抑制することができる。また、ウォーターフェンス１００に水などの重りを入れる場合、水の重力と、ウォーターフェンス本体部１に接続されたポンプ３が吸水することにより生じる負圧とにより、設置力増強部材２およびチューブ材４を設置面に対して押し付けることができるので、より強固にタイル目地などの凹凸を埋めることができる。これにより、ウォーターフェンス設置面内の真空度を向上させることができるので、ウォーターフェンス１００が押し寄せる水により流されるのを効果的に抑制することができる。
【００６０】
また、第１実施形態では、上記のように、チューブ材４を、中空形状を有する管状部材により構成し、設置面の凹凸に食い込むように構成する。これにより、チューブ材４が中空形状を有する管状部材であるため、チューブ材４を設置面の凹凸形状に沿って容易に変形させて食い込ませることができる。その結果、設置面の凹凸とウォーターフェンス１００との間に隙間ができるのを容易に抑制することができる。
【００６１】
また、第１実施形態では、上記のように、設置力増強部材２を、平面視において（Ｚ方向に見て）、ウォータフェンス本体部１の底面の外周部に環状に配置し、チューブ材４を、設置力増強部材２に沿って配置する。これにより、設置力増強部材２により囲まれた領域の水および空気をポンプ３により吸い取ることにより、ウォーターフェンス設置面内の真空度を容易に上げることができる。
【００６２】
また、第１実施形態では、上記のように、ウォーターフェンス本体部１の分割可能な第１部材１１および第２部材１２に、それぞれ、互いに分割可能な設置力増強部材２（２１および２２）と、互いに分割可能なチューブ材４（４１および４２）とを設け、第１部材１１に設けられたチューブ材４１と、第２部材１２に設けられたチューブ材４２とを、平面視において（Ｚ方向に見て）、互いに端部がずれた状態で配置する。これにより、ウォーターフェンス本体部１を保管する際に、第１部材１１と第２部材１２とに分割することができるので、保管面積が大きくなるのを抑制することができる。また、設置力増強部材２およびチューブ材４を分割可能にすることにより、第１部材１１および第２部材１２に、それぞれ、設置力増強部材２（２１および２２）とチューブ材４（４１および４２）とを取り付けた状態で、保管することができるので、使用時に、第１部材１１および第２部材１２を接続することにより、ウォータフェンス１００を容易に組み立てることができる。また、この場合、第１部材１１に設けられたチューブ材４１と、第２部材１２に設けられたチューブ材４２とが、平面視において、互いに端部がずれた状態で組み立てられるので、柔らかく変形しやすいチューブ材４（４１および４２）が設置の際に伸びて、第１部材１１および第２部材１２のそれぞれに取り付けられたチューブ材４（４１および４２）の端部同士が干渉するのを抑制することができる。
【００６３】
また、第１実施形態では、上記のように、チューブ材４を、設置力増強部材２よりも小さい幅を有するように形成する。これにより、設置力増強部材２よりも小さい幅の設置面の凹凸を、チューブ材４により容易に埋めることができるので、ウォーターフェンス１００の設置性を容易に向上させることができる。
【００６４】
また、第１実施形態では、上記のように、設置力増強部材２を、ウォーターフェンス本体部１の設置面への設置性を向上させるように構成する。これにより、設置面に傾きや凹凸がある場合でも、設置力増強部材２によりウォーターフェンス１００の設置性を向上させることができるので、浸水をより効果的に抑制することができる。
【００６５】
また、第１実施形態では、上記のように、設置力増強部材２を、スポンジ材により形成する。これにより、スポンジ材により形成された設置力増強部材２により、水を吸水しつつ、大きな凹凸を吸収することができる。また、チューブ材４を、ゴムにより形成する。これにより、ゴムにより形成されたチューブ材４により、目地などの小さな凹凸を埋めて水が入り込むのを抑制することができる。その結果、浸水をより効果的に抑制することができる。
【００６６】
［第２実施形態］
次に、図１３〜図１５を参照して、本発明の第２実施形態について説明する。この第２実施形態では、設置力増強部材の底面にチューブ材のみが設けられている上記第１実施形態とは異なり、設置力増強部材の底面にチューブ材およびガイド部材が設けられている構成の例について説明する。
【００６７】
（ウォーターフェンスの構成）
本発明の第２実施形態によるウォーターフェンス２００は、図１３〜図１５に示すように、ウォーターフェンス本体部１と、設置力増強部材２とを備えている。また、ウォーターフェンス本体部１には、自吸機能を有したポンプ３（図１参照）が接続されている。また、ウォータフェンス２００は、設置力増強部材２の底面に配置されたチューブ材４を備えている。また、ウォータフェンス２００は、設置力増強部材２の底面に配置されたガイド部材５を備えている。なお、設置力増強部材２は、特許請求の範囲の「第１弾性部材」の一例であり、ポンプ３は、特許請求の範囲の「吸水装置」の一例である。また、チューブ材４は、特許請求の範囲の「第２弾性部材」の一例である。
【００６８】
ここで、第２実施形態では、図１３に示すように、チューブ材４は、設置力増強部材２の底面に配置されている。また、チューブ材４は、設置力増強部材２よりも低い吸水率を有するとともに、設置力増強部材２よりも柔らかい。また、チューブ材４は、分割可能に構成されている。具体的には、チューブ材４は、第１部材１１（設置力増強部材２１）に取り付けられるチューブ材４１と、第２部材１２（設置力増強部材２２）に取り付けられるチューブ材４２とに分割可能である。つまり、チューブ材４１および設置力増強部材２１を第１部材１１に取り付け、チューブ材４２および設置力増強部材２２を第２部材１２に取り付けた状態で、第１部材１１および第２部材１２を、分割すること、または、組み立てることが可能である。なお、チューブ材４１および４２は、特許請求の範囲の「第２弾性部材」の一例である。
【００６９】
また、第２実施形態では、第１部材１１に設けられたチューブ材４１と、第２部材１２に設けられたチューブ材４２とは、平面視において（Ｚ方向に見て）、互いに端部がずれた状態で配置されている。具体的には、図１３〜図１５に示すように、チューブ材４２は、Ｙ方向において、チューブ材４１に対して外側に配置されている。つまり、Ｙ２側に配置されたチューブ材４１は、チューブ材４２に対してＹ２側に配置されている。また、Ｙ１側に配置されたチューブ材４１は、チューブ材４２に対してＹ１側に配置されている。これにより、チューブ材４１のＸ１側の端部と、チューブ材４２のＸ２側の端部とが合わさることなくオフセットされる。また、チューブ材４１のＸ２側の端部と、チューブ材４２のＸ１側の端部とが合わさることなくオフセットされる。
【００７０】
また、第２実施形態では、図１３に示すように、ガイド部材５は、設置力増強部材２の底面に配置されている。ガイド部材５は、チューブ材４をガイドするために設けられている。具体的には、図１３〜図１５に示すように、ガイド部材５は、平面視において（Ｚ方向に見て）、チューブ材４の内側に隣接して配置されている。つまり、ガイド部材５は、チューブ材４の平面方向（ＸＹ方向）の移動を規制するように構成されている。また、ガイド部材５は、設置力増強部材２に、接着層を介して貼りつけられている。また、ガイド部材５は、スポンジ材により形成されている。たとえば、ガイド部材５は、設置力増強部材２と同様のスポンジ材により形成されている。
【００７１】
また、ガイド部材５は、チューブ材４よりも大きい幅を有する。たとえば、ガイド部材５は、設置力増強部材２の１／３程度の幅を有する。また、ガイド部材５は、チューブ材４よりも小さい高さを有する。たとえば、ガイド部材５は、３ｍｍ以上５ｍｍ以下の高さを有する。
【００７２】
ガイド部材５は、図１３に示すように、分割可能に構成されている。具体的には、ガイド部材５は、第１部材１１（設置力増強部材２１）に取り付けられるガイド部材５１と、第２部材１２（設置力増強部材２２）に取り付けられるガイド部材５２とに分割可能である。つまり、ガイド部材５１、チューブ材４１および設置力増強部材２１を第１部材１１に取り付け、ガイド部材５２、チューブ材４２および設置力増強部材２２を第２部材１２に取り付けた状態で、第１部材１１および第２部材１２を、分割すること、または、組み立てることが可能である。
【００７３】
なお、第２実施形態のその他の構成は、上記第１実施形態と同様である。
【００７４】
（第２実施形態の効果）
第２実施形態では、以下のような効果を得ることができる。
【００７５】
第２実施形態では、上記第１実施形態と同様に、設置力増強部材２の底面に配置され、設置力増強部材２よりも低い吸水率を有し、設置力増強部材２よりも柔らかいチューブ材４を設ける。これにより、浸水を効果的に抑制することができる。
【００７６】
また、第２実施形態では、上記のように、設置力増強部材２の底面に、平面視において、チューブ材４の内側に、チューブ材４をガイドするガイド部材５を設ける。これにより、チューブ材４が平面方向（ＸＹ方向）にずれるのをガイド部材５により抑制することができる。
【００７７】
なお、第２実施形態のその他の効果は、上記第１実施形態と同様である。
【００７８】
［第３実施形態］
次に、図１６および図１７を参照して、本発明の第３実施形態について説明する。この第３実施形態では、チューブ材が分割可能に構成されている上記第１および第２実施形態とは異なり、１つのチューブ材を含む構成の例について説明する。
【００７９】
（ウォーターフェンスの構成）
本発明の第３実施形態によるウォーターフェンス３００は、図１６および図１７に示すように、ウォーターフェンス本体部１と、設置力増強部材２とを備えている。また、ウォーターフェンス本体部１には、自吸機能を有したポンプ３（図１参照）が接続されている。また、ウォータフェンス３００は、設置力増強部材２の底面に配置されたチューブ材４を備えている。なお、設置力増強部材２は、特許請求の範囲の「第１弾性部材」の一例であり、ポンプ３は、特許請求の範囲の「吸水装置」の一例である。また、チューブ材４は、特許請求の範囲の「第２弾性部材」の一例である。
【００８０】
ここで、第３実施形態では、図１６に示すように、設置力増強部材２は、第１部材１１および一対の第２部材１２に跨って一体的に設けられている。つまり、第１および第２実施形態では、設置力増強部材２が分割可能であり複数の部材により構成されているのに対して、第３実施形態では、設置力増強部材２は、１つの部材により構成されている。
【００８１】
また、第３実施形態では、チューブ材４は、設置力増強部材２の底面に配置されている。また、チューブ材４は、設置力増強部材２よりも低い吸水率を有するとともに、設置力増強部材２よりも柔らかい。また、チューブ材４は、一つながりに形成されている。つまり、チューブ材４は、１本の管状部材が設置力増強部材２に沿って環状に配置されている。また、チューブ材４は、設置力増強部材２に、接着層を介して貼りつけられている。また、チューブ材４は、設置力増強部材２の略中央に沿って略ロ字形状に配置されている。
【００８２】
なお、第３実施形態のその他の構成は、上記第１実施形態と同様である。
【００８３】
（第３実施形態の効果）
第３実施形態では、以下のような効果を得ることができる。
【００８４】
第３実施形態では、上記第１実施形態と同様に、設置力増強部材２の底面に配置され、設置力増強部材２よりも低い吸水率を有し、設置力増強部材２よりも柔らかいチューブ材４を設ける。これにより、浸水を効果的に抑制することができる。
【００８５】
また、第３実施形態では、チューブ材４を一体的に設けることによって、部品点数が増加するのを抑制することができる。
【００８６】
なお、第３実施形態のその他の効果は、上記第１実施形態と同様である。
【００８７】
［第４実施形態］
次に、図１８および図１９を参照して、本発明の第４実施形態について説明する。この第４実施形態では、チューブ材およびガイド部材が分割可能に構成されている上記第２実施形態とは異なり、１つのチューブ材および１つのガイド部材を含む構成の例について説明する。
【００８８】
（ウォーターフェンスの構成）
本発明の第４実施形態によるウォーターフェンス４００は、図１８および図１９に示すように、ウォーターフェンス本体部１と、設置力増強部材２とを備えている。また、ウォーターフェンス本体部１には、自吸機能を有したポンプ３（図１参照）が接続されている。また、ウォータフェンス４００は、設置力増強部材２の底面に配置されたチューブ材４およびガイド部材５を備えている。なお、設置力増強部材２は、特許請求の範囲の「第１弾性部材」の一例であり、ポンプ３は、特許請求の範囲の「吸水装置」の一例である。また、チューブ材４は、特許請求の範囲の「第２弾性部材」の一例である。
【００８９】
ここで、第４実施形態では、図１８に示すように、設置力増強部材２は、第１部材１１および一対の第２部材１２に跨って一体的に設けられている。つまり、第１実施形態では、設置力増強部材２が分割可能であり複数の部材により構成されているのに対して、第４実施形態では、設置力増強部材２は、１つの部材により構成されている。
【００９０】
また、第４実施形態では、チューブ材４は、設置力増強部材２の底面に配置されている。また、チューブ材４は、設置力増強部材２よりも低い吸水率を有するとともに、設置力増強部材２よりも柔らかい。また、チューブ材４は、一つながりに形成されている。つまり、チューブ材４は、１本の管状部材が設置力増強部材２に沿って環状に配置されている。また、チューブ材４は、設置力増強部材２に、接着層を介して貼りつけられている。また、チューブ材４は、設置力増強部材２の略中央に沿って略ロ字形状に配置されている。
【００９１】
また、第４実施形態では、ガイド部材５は、設置力増強部材２の底面に配置されている。また、ガイド部材５は、チューブ材４をガイドするために設けられている。また、ガイド部材５は、一つながりに形成されている。つまり、ガイド部材５は、設置力増強部材２に沿ってチューブ材４の内側に環状に配置されている。また、ガイド部材５は、設置力増強部材２に、接着層を介して貼りつけられている。
【００９２】
なお、第４実施形態のその他の構成は、上記第１実施形態と同様である。
【００９３】
（第４実施形態の効果）
第４実施形態では、以下のような効果を得ることができる。
【００９４】
第４実施形態では、上記第１実施形態と同様に、設置力増強部材２の底面に配置され、設置力増強部材２よりも低い吸水率を有し、設置力増強部材２よりも柔らかいチューブ材４を設ける。これにより、浸水を効果的に抑制することができる。
【００９５】
また、第４実施形態では、ガイド部材５を一体的に設けることによって、部品点数が増加するのを抑制することができる。
【００９６】
なお、第４実施形態のその他の効果は、上記第１実施形態と同様である。
【００９７】
（変形例）
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００９８】
たとえば、上記第１〜第４実施形態では、チューブ材（第２弾性部材）が中空形状を有する管状部材により構成されている例を示したが、本発明はこれに限らない。本発明では、第２弾性部材は、中実形状の部材であってもよい。また、第２弾性部材は、ゴム以外の材料により形成されていてもよい。
【００９９】
また、上記第１実施形態では、第２部材のチューブ材の端部をＹ方向における外側に曲げて、第１部材のチューブ材に対して端部がずれるように配置した例を示したが、本発明はこれに限らない。本発明では、第２部材のチューブ材の端部をＹ方向における内側に曲げて、第１部材のチューブ材に対して端部がずれるように配置してもよい。
【０１００】
また、上記第２および第４実施形態では、ガイド部材を設置力増強部材（第１弾性部材）に貼り付ける構成の例を示したが、本発明はこれに限らない。本発明では、ガイド部材と第１弾性部材とを一体的に形成してもよい。
【０１０１】
また、上記第１〜第４実施形態では、ウォーターフェンスが一対の第２部材を備える構成の例を示したが、本発明はこれに限らない。本発明では、第１部材を挟むように一体の第２部材を配置してもよいし、第１部材の一方側のみに第２部材を配置してもよい。また、ウォーターフェンスが３つ以上の第２部材を備えていてもよい。
【０１０２】
また、上記第１〜第４実施形態では、ウォーターフェンスが直線的に形成されている構成の例を示したが、本発明はこれに限らない。本発明では、ウォーターフェンスが折れ曲がるように形成されていてもよい。
【０１０３】
また、上記第１〜第４実施形態では、ウォーターフェンスに入れる重りとしてペットボトルを用いた例を示したが、本発明はこれに限らない。本発明では、ペットボトル以外の部材を重りとして用いてもよい。たとえば、バーベルや石などを重りとして用いてもよい。
【０１０４】
また、上記第１〜第４実施形態では、第１部材の上方にパイプ（吸水装置取付部）を挿入する構成の例を示したが、本発明はこれに限らない。本発明では、第１部材にパイプを挿入せずに、吸水装置と接続してもよい。つまり、第１部材に吸水装置取付部を一体的に設けてもよい。また、第１部材の下方にパイプを挿入しなくてもよい。
【０１０５】
また、上記第１〜第４実施形態では、第１部材にパイプ１４と、パイプ１５の２つを挿入する構成の例を示したが、本発明はこれに限らない。本発明では、第１部材に挿入するパイプを、設置面にまで届く長さを有するＬ字状の一本のパイプで構成してもよい。
【０１０６】
また、上記第１〜第４実施形態では、設置力増強部材（第１弾性部材）が、１層により形成されている例を示したが、本発明はこれに限らない。本発明では、第１弾性部材を２層以上により形成してもよい。
【０１０７】
たとえば、第１弾性部材を１層により形成した場合、第１弾性部材を、気孔率８０％〜９０％程度のスポンジ材により形成してもよい。また、第１弾性部材を、吸水率が大きい材料により形成してもよい。たとえば、第１弾性部材を、ＰＶＡ（ポリビニールアルコール）製のスポンジ材により形成してもよい。
【０１０８】
また、上記第１〜第４実施形態では、チューブ材（第２弾性部材）が、１層により形成されている例を示したが、本発明はこれに限らない。本発明では、第２弾性部材を２層以上により形成してもよい。
【０１０９】
また、上記第１〜第４実施形態では、吸水装置として自吸式のポンプを用いる例を示したが、本発明はこれに限らない。本発明では、自吸式に限らず、吸水機能を有するポンプであれば特に限定されない。また、真空ポンプや掃除機などの真空吸引方式の吸引装置を用いてもよい。
【符号の説明】
【０１１０】
１  ウォーターフェンス本体部
２、２１、２２  設置力増強部材（第１弾性部材）
３  ポンプ（吸水装置）
４、４１、４２  チューブ材（第２弾性部材）
５、５１、５２  ガイド部材
１１  第１部材
１２  第２部材
１４  パイプ（吸水装置取付部）
１００、２００、３００、４００  ウォーターフェンス
【図１】
0006559091.tif 000002
【図２】
0006559091.tif 000003
【図３】
0006559091.tif 000004
【図４】
0006559091.tif 000005
【図５】
0006559091.tif 000006
【図６】
0006559091.tif 000007
【図７】
0006559091.tif 000008
【図８】
0006559091.tif 000009
【図９】
0006559091.tif 000010
【図１０】
0006559091.tif 000011
【図１１】
0006559091.tif 000012
【図１２】
0006559091.tif 000013
【図１３】
0006559091.tif 000014
【図１４】
0006559091.tif 000015
【図１５】
0006559091.tif 000016
【図１６】
0006559091.tif 000017
【図１７】
0006559091.tif 000018
【図１８】
0006559091.tif 000019
【図１９】
0006559091.tif 000020